(57)【特許請求の範囲】
【請求項１】
底壁に貫通口を形成した軒樋と、筒状落し口の上方に取付部を突設するとともに取付部の上方に導入筒部を形成し筒状落し口の外側に雄ねじ部を形成した継手本体と、継手本体の雄ねじ部に螺合する雌ねじ部を形成した接続部材と、この接続部材の下方に配設される配管部材とからなり、軒先に取付けられた軒樋の底壁の貫通口に継手本体の筒状落し口が上方から挿通され、この筒状落し口に接続部材が接続されるとともに接続部材の下方に配管部材が取付けられ、屋根上の機器からの配線を導入筒部から配管部材内を経由して建物内まで誘導するようにしたことを特徴とする軒先における配線用配管。
【発明の詳細な説明】
【０００１】
【発明の属する技術分野】
本発明は、屋根上の機器からの配線を建物内まで誘導する軒先における配線用配管装置に関する。
【０００２】
【従来の技術】
従来から、屋根上に設置されたエアコン室外機や、アンテナ、太陽光発電機等の機器が設置されることがある。この場合、屋根上に設置された機器からの配線を建物内まで誘導するには、例えば、図５に示すように、屋根ａからの配線ｂは軒先ｃに取付けられている軒樋ｄを跨いで下側に湾曲した状態で誘導され、建物の側壁ｅを貫通して室内へと誘導されている。
【０００３】
【発明が解決しようとする課題】
しかしながら、上記の配線の配設状態では、屋根ａの軒先ｃに軒樋ｄを跨いで配線ｂが取付けられているため、配線ｂが軒先ｃで露出した状態で見え、外観が損なわれるという問題があった。
【０００４】
本発明は、このような事情に鑑みて、軒先に取付けられた軒樋の前側に、屋根上の機器からの配線が現れないようにした軒先における配線用配管装置を提供することを目的としている。
【０００５】
【課題を解決するための手段】
このような目的を達成するために、請求項１に記載の発明に係わる軒先における配線用配管装置は（以下、「請求項１の軒先における配線用配管装置」と記す）は、底壁に貫通口を形成した軒樋と、筒状落し口の上方に取付部を突設するとともに取付部の上方に導入筒部を形成し筒状落し口の外側に雄ねじ部を形成した継手本体と、継手本体の雄ねじ部に螺合する雌ねじ部を形成した接続部材と、この接続部材の下方に配設される配管部材とからなり、軒先に取付けられた軒樋の底壁の貫通口に継手本体の筒状落し口が上方から挿通され、この筒状落し口に接続部材が接続されるとともに接続部材の下方に配管部材が取付けられ、屋根上の機器からの配線を導入筒部から配管部材内を経由して建物内まで誘導するようにしたことを特徴とした。
【０００６】
【発明の実施の形態】
次に、本発明の実施の形態を、図面を用いて説明する。
【０００７】
図１は本発明の実施形態の一例を示す断面図、図２は本発明の実施形態で軒樋に継手本体と接続部材を取り付ける状態を説明する分解断面図、図３は本発明で使用される継手本体の断面図、図４は同じく接続部材の断面図である。
【０００８】
図１に示すように、この軒先における配線用配管装置は、軒樋１と、軒樋１に取り付けられる継手本体２と、継手本体２に螺着される接続部材３と、接続部材３の下方に取付けられ建物側の側壁６にまで配設される配管部材４とからなり、これらは塩化ビニール等の合成樹脂、その他の材質により形成してある。
【０００９】
軒樋１は、押出成形品であり、図２に示すように本体部が平坦な底壁１１の前側部から前側壁１２が立設され、かつ底壁１１の後側部から後側壁１３が立設された溝形断面に形成されている。底壁１１には後述の継手本体２が上方から挿通されて取付けられる貫通口１６が設けられている。
【００１０】
尚、前側壁１２は、中程が張り出すように張出部１２０が形成されており、上部前壁１２１と下部前壁１２２からなる。下部前壁１２２は、底壁１１から屋外側に広がるように立ち上げられ、上部前壁１２１は張出部１２０から屋内側に向けて傾斜して形成されている。
【００１１】
また、前記前側壁１２の上端には前耳１４が形成されており、この前耳１４は内面側に溝１４１が形成されるとともに上縁に係止爪１４２が設けられている。更に、後側壁１３の上端には後耳１５が形成されており、この後耳１５は、内方に向けて突出された係止突起１５１が形成されている。
尚、前記前耳１４の溝１４１及び後耳１５の係止突起１５１は、軒樋１を軒樋吊具（図示しない）に取り付ける際の取付用溝と突起となる。
【００１２】
継手本体２は、図２及び図３に示すように、軒樋１の底部１１の貫通口１６に挿通して取付けるもので、筒状落し口２１を有し、筒状落し口２１の上方に鍔状の取付部２２と導入筒部２３とを形成してある。鍔状の取付部２２は外側方に突設しており、導入筒部２３は筒状落し口２１に連通して上方に鉛直管部２３１が延設され、更にこの鉛直管部２３１の上端から屈曲して傾斜管部２３２が形成されている。
【００１３】
また、筒状落し口２１は円筒状で、取付部２２としては鍔部を例示してあるが、これに限定されない。また、筒状落し口２１の外側に雄ねじ２１１が形成されており、この雄ねじ２１１と後述する接続部材３の雌ねじ３１１とが互いに螺合するようになっている。
【００１４】
一方、接続部材３は、図４に示すように短筒体３１の外周壁が上方に向けて拡径された傾斜面を有して、上縁に鍔面３１２が形成されており、内周壁に前記筒状落し口２１の雄ねじ部２１１に螺合する雌ねじ部３１１が形成されている。
短筒体３１の鍔面３１２は、接続部材３を筒状落し口２１に螺合させて締め付けると、継手本体２の取付部２２と接続部材３の鍔面３１２とにより、軒樋１の貫通口１６の周辺を挟着固定するようになっている。
【００１５】
配管部材４は、接続部材３に接続されるエルボ４１と、このエルボ４１と他のエルボ４１ａに接続される横管４２と、縦管４２ａと分岐管継手４３とからなり、これらは順に直列に配列されて側壁６まで配管されている。
【００１６】
このような軒先における配線用配管装置は、図１〜図２に示すようにして軒樋１に取付けられる。
先ず、軒樋１の底部１１に穿設された貫通口１６に、継手本体２の筒状落し口２１を上方から挿通して、貫通口１６の周辺と筒状落し口２１の取付部１２との間を必要に応じて接着剤あるいは水封パッキンを介して封止し固定する。
【００１７】
次に、軒樋１の下方に突出している筒状落し口２１の雄ねじ部２１１に接続部材３の雌ねじ部３１１を螺合して、継手本体２の取付部２２と接続部材３の鍔面３１２とにより、軒樋１の貫通口１６の周辺を挟着固定する。
【００１８】
続いて、配管部材４であるエルボ４１、４１ａや横管４２、縦管４２ａ、分岐管４３を用いて接続部材３の下端から建物の側壁６まで接続配管する。
【００１９】
以上のようにして配線用配管装置が取付けられると、分岐管４３の導出口４３１と対峙する側壁６の位置に挿入口６１を穿設し、屋根７上に設置された機器からの配線８を導入筒部２３の傾斜管部２３２から挿通して配管部材４を経由させてから側壁６の挿入口６１に挿入させる。
【００２０】
以上、本発明の実施の形態を図面により詳述してきたが、具体的な形態はこの実施の形態に限られものではなく、本発明の要旨を逸脱しない範囲における設計の変更等があっても本発明に含まれる。
【００２１】
例えば、前記実施例では、配管部材４を接続部材３に取付けてから配線８を配管部材４内に挿通させたが、接続部材３から導出された配線８を配管部材４であるエルボ４１、横管４２、エルボ４１ａ、縦管４２ａ、分岐管４３の各部材にそれぞれ通してから、各部材を配列して接続配管してもよい。
【００２２】
また、継手本体２の傾斜管部２３２の先端口の配線８との隙間をコーキング  材等で止水してもよい。
【００２３】
【発明の効果】
上述の通りであるので、本発明によれば、底壁に貫通口を形成した軒樋と、筒状落し口の上方に取付部を突設するとともに取付部の上方に導入筒部を形成し筒状落し口の外側に雄ねじ部を形成した継手本体と、継手本体の雄ねじ部に螺合する雌ねじ部を形成した接続部材と、この接続部材の下方に配設される配管部材とからなり、軒先に取付けられた軒樋の底壁の貫通口に継手本体の筒状落し口が上方から挿通され、この筒状落し口に接続部材が接続されるとともに接続部材の下方に配管部材が取付けられ、屋根上の機器からの配線を導入筒部から配管部材内を経由して建物内まで誘導するようにしているので、屋根上の機器からの配線が配管部材により覆われて見えないから、軒先の外観が見苦しくならない。
【図面の簡単な説明】
【図１】本発明の軒先における配線用配管装置を説明する断面図である。
【図２】本発明で使用する継手本体と接続部材とを軒樋に取付けて螺合する状態を説明する分解断面図である。
【図３】本発明の軒先における配線用配管装置に使用する継手本体を説明する断面図である。
【図４】本発明の軒先における配線用配管装置に使用する接続部材を説明する断面図である。
【図５】従来例を説明する断面図である。
【符号の説明】
１    軒樋
１１  底壁
１６  貫通口
２    ドレン継手本体
２１  筒状落し口
２２  取付部
２１１  雄ねじ部
３    接続部材
３１  筒状体
３１１  雌ねじ部
４    配管部材
６    側壁
７    屋根
８    配線
【図１】
0003806334.tif 000002
【図２】
0003806334.tif 000003
【図３】
0003806334.tif 000004
【図４】
0003806334.tif 000005
【図５】
0003806334.tif 000006